【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
交流電源に接続されて直流電圧を負荷回路に出力する主電源と、
前記主電源の出力に接続されて、前記主電源の出力が立ち上がったときに、リセットパルスを生成するリセットパルス生成回路と、
前記主電源の出力に接続されて蓄電する蓄電回路と、
スイッチ回路と、
前記蓄電回路の出力を電源電圧として受け、前記リセットパルス生成回路の出力を、前記スイッチ回路を介してそのリセット入力として受けて初期化される制御回路とを有し、
前記制御回路は、パワーオンオフ信号入力手段から出力されるパワーオンオフ制御信号を受けるように接続され、
前記制御回路は、前記主電源の出力の状態及び前記パワーオンオフ信号入力手段からのパワーオンオフ制御信号に基づいて、前記主電源を制御するための主電源制御信号と、前記スイッチ回路を制御するためのリセット禁止信号とを出力し、
前記主電源は、前記主電源制御信号によって制御されて、前記主電源制御信号が第１の状態にあるときに前記直流電圧を出力するオン状態となり、前記主電源制御信号が第２の状態にあるときに、前記直流電圧を出力しないオフ状態になり、
前記スイッチ回路は、前記リセット禁止信号によって制御されて、前記リセット禁止信号が第１の状態にあるときに、前記リセットパルス生成回路から出力されたリセットパルスを前記制御回路に伝える伝達状態になり、前記リセット禁止信号が第２の状態にあるときに前記リセットパルス生成回路から出力されたリセットパルスを前記制御回路に伝えない遮断状態になる
ことを特徴とする電源供給装置。
【請求項２】
前記主電源がオフ状態にあり、
前記パワーオンオフ信号入力手段から前記制御回路にパワーオンを要求するパワーオンオフ制御信号が入力されたときに、
前記制御回路は、前記主電源制御信号を前記第１の状態にし、前記リセット禁止信号を前記第２の状態にする
ことを特徴とする請求項１に記載の電源供給装置。
【請求項３】
前記制御回路は、
前記主電源制御信号を前記第１の状態にした状態での前記主電源の出力の状態の判定の結果に基づいて前記交流電源が停電状態か否かを判定する
ことを特徴とする請求項２に記載の電源供給装置。
【請求項４】
前記制御回路は、前記主電源制御信号を前記第１の状態にした状態において、前記主電源の出力が予め定められた閾値よりも低ければ前記交流電源が停電状態であると判定することを特徴とする請求項３に記載の電源供給装置。
【請求項５】
前記制御回路は、前記パワーオンを要求するパワーオンオフ制御信号が入力されて、前記主電源制御信号を前記第１の状態にして前記主電源の出力を立ち上げるときに、
前記主電源の出力が立ち上がりに応じて前記リセットパルス生成回路が前記リセットパルスを出力している間、前記リセット禁止信号を前記第２の状態にする
ことを特徴とする請求項２から４のいずれか１項に記載の電源供給装置。
【請求項６】
前記制御回路は、
前記パワーオンを要求するパワーオンオフ制御信号が入力されて、前記主電源制御信号を前記第１の状態にして前記主電源の出力を立ち上げるときに、前記リセット禁止信号を第２の状態にし、
前記リセットパルス生成回路によって生成される前記リセットパルスが立ち下がった後に、前記リセット禁止信号を前記第１の状態に戻す
ものを出力することを特徴とする請求項５に記載の電源供給装置。
【請求項７】
前記パワーオンを要求する前記パワーオンオフ制御信号が入力されたとき、
前記制御回路は、前記リセット禁止信号を、予め定められた時間、前記第２の状態にすることを特徴とする請求項２から５のいずれか１項に記載の電源供給装置。
【請求項８】
前記制御回路が、
前記リセット禁止信号を前記第２の状態に維持する時間が前記制御回路によって調整可能である
ことを特徴とする請求項７に記載の電源供給装置。
【請求項９】
前記制御回路が、前記リセットパルス生成回路が生成した前記リセットパルスを、前記スイッチ回路を介して受けるのみならず、前記スイッチ回路を介さずに受けることができるように接続され、
前記制御回路は、前記リセットパルス生成回路から前記スイッチ回路を介さずに入力された前記リセットパルスの立下りを検出して、該立下りに応じて、前記リセット禁止信号を前記第１の状態に戻す
ことを特徴とする請求項２に記載の電源供給装置。
【請求項１０】
前記制御回路は、前記パワーオンを要求するパワーオンオフ制御信号に応じて前記主電源制御信号を前記第１の状態にし、それに応じて前記リセットパルスが立上がるか否かに基づいて前記交流電源が停電状態か否かの判定を行う
ことを特徴とする請求項９に記載の電源供給装置。
【請求項１１】
外部の情報を取得してその結果を出力する外部情報回路が前記制御回路に接続され、
前記制御回路は、前記外部情報回路の出力に基づいて前記主電源制御信号を前記第１の状態にするか前記第２の状態にするかの制御、及び前記リセット禁止信号を前記第１の状態にするか前記第２の状態にするかの制御を行う
ことを特徴とする請求項１から１０のいずれか１項に記載の電源供給装置。
【請求項１２】
前記主電源制御信号の前記第１の状態は、Ｌレベルの状態であり、
前記第２の状態は、Ｈレベルの状態であることを特徴とする
請求項１から１１のいずれか１項に記載の電源供給装置。
【請求項１３】
前記リセット禁止信号の前記第１の状態はＬレベルの状態であり、
前記第２の状態はＨレベルの状態であることを特徴とする
請求項１から１２のいずれか１項に記載の電源供給装置。
【請求項１４】
請求項１から１３のいずれか１項に記載の電源供給装置と、前記負荷回路とを備え、
前記負荷回路が映像を表示するための処理を行なうものである
ことを特徴とする映像表示装置。
【手続補正２】
【補正対象書類名】明細書
【補正対象項目名】０００７
【補正方法】変更
【補正の内容】
【０００７】
本発明の電源供給装置は、
交流電源に接続されて直流電圧を負荷回路に出力する主電源と、
前記主電源の出力に接続されて、前記主電源の出力が立ち上がったときに、リセットパルスを生成するリセットパルス生成回路と、
前記主電源の出力に接続されて蓄電する蓄電回路と、
スイッチ回路と、
前記蓄電回路の出力を電源電圧として受け、前記リセットパルス生成回路の出力を、前記スイッチ回路を介してそのリセット入力として受けて初期化される制御回路とを有し、
前記制御回路は、パワーオンオフ信号入力手段から出力されるパワーオンオフ制御信号を受けるように接続され、
前記制御回路は、前記主電源の出力の状態及び前記パワーオンオフ信号入力手段からのパワーオンオフ制御信号に基づいて、前記主電源を制御するための主電源制御信号と、前記スイッチ回路を制御するためのリセット禁止信号とを出力し、
前記主電源は、前記主電源制御信号によって制御されて、前記主電源制御信号が第１の状態にあるときに前記直流電圧を出力するオン状態となり、前記主電源制御信号が第２の状態にあるときに、前記直流電圧を出力しないオフ状態になり、
前記スイッチ回路は、前記リセット禁止信号によって制御されて、前記リセット禁止信号が第１の状態にあるときに、前記リセットパルス生成回路から出力されたリセットパルスを前記制御回路に伝える伝達状態になり、前記リセット禁止信号が第２の状態にあるときに前記リセットパルス生成回路から出力されたリセットパルスを前記制御回路に伝えない遮断状態になることを特徴とする。
【手続補正３】
【補正対象書類名】明細書
【補正対象項目名】００５７
【補正方法】変更
【補正の内容】
【００５７】
さらに図１の回路に対する変形として、図７に示すように負荷回路６と主電源２の間に第２のスイッチ回路（負荷給電制御のためのスイッチ回路）１４を挿入し、制御回路５の負荷給電制御信号Ｄ５ｃによりスイッチ回路１４をオンオフし、主電源２の出力Ｄ２を第２のスイッチ回路１４を介して負荷回路６に供給するようにしても良い。
このようにすれば、上記の初期化の後、主電源制御信号Ｄ５ａをＬにして主電源２をオン状態にする一方、負荷給電制御信号Ｄ５ｃをＨにして負荷回路６をパワーオフ状態（給電されない状態）にすることができる。このようにすることで、電力消費を削減することができる。
なお、負荷回路６を複数の部分に分け、それぞれの部分ごとに負荷給電スイッチ回路（各々負荷給電スイッチ回路１４と同様のもの）を設けて、制御回路５がそれぞれの負荷給電スイッチ回路に対してそれぞれ別個の制御信号を発生するようにしても良い。
【手続補正４】
【補正対象書類名】明細書
【補正対象項目名】０１００
【補正方法】変更
【補正の内容】
【０１００】
上記の実施の形態では、図１０、図１１を参照して説明したように、主電源２がオフ状態にあるときに、パワーオンを要求するパワーオンオフ制御信号Ｄ８が入力されると、主電源制御信号Ｄ５ａをＬにして、主電源２が立ち上がれば、パワーオン制御状態に移行し、主電源２が立ち上がらなければ、「停電検出、復帰待機」の制御状態に移行し、あるいは該状態を維持することとしているが、「主電源２がオフ状態」を「停電検出、復帰待機」の制御状態とパワーオフ制御状態とに分け、「停電検出、復帰待機」の制御状態において、パワーオンを要求するパワーオンオフ制御信号Ｄ８が入力された場合には、それを無視し、主電源制御信号Ｄ５ａをＬのままとし、「停電検出、復帰待機」の制御状態を継続することとしても良い。この場合、リセット禁止信号Ｄ５ｂの立ち上げも省略できる。